(57)【特許請求の範囲】
【請求項１】
表皮は、所定の箇所に開口部を設け、袋状に縫い合わせて成り、フレームに被覆してなり、
カップ・ホルダーは、軟質樹脂で成形され、それの開口寄りで内側面にリング溝を開口させてその表皮の開口部に嵌合してなり、
縁装飾部品は、上端にリング状シュラウド・ヘッドを備え、下端の外側面にリング状爪を突き出す形状に硬質樹脂、金属で成形され、
その表皮内でパッドの一体発泡後の状態でその表皮の上からそのカップ・ホルダーに押し込まれた状態から成り、
そのカップ・ホルダーの内側面のリング溝にその下端の外側面のリング状爪を引っ掛けた状態で、そのシュラウド・ヘッドとそのカップ・ホルダーとの間にその表皮をはさみ込むとともに、カップ・ホルダーの内側面と縁装飾部品の外側面との間にその表皮端末をはさみ込んでそのカップ・ホルダーに固設するところの自動車シートに用いるアームレスト。
【請求項２】
表皮は、所定の箇所に開口部を設け、袋状に縫い合わせて成り、フレームに被覆してなり、
カップ・ホルダーは、軟質樹脂で成形され、それの開口端の周りに周囲フランジを突き出してその表皮の開口部に嵌合して成り、
縁装飾部品は、リング状シュラウド・ヘッドの下面に複数の針状爪を円周方向に間隔を置いて突き出す形状に硬質樹脂、金属で成形され、
その表皮内でパッドの一体発泡後の状態でその表皮の上からその複数の針状爪をその表皮およびカップ・ホルダーの周囲フランジに突き通してそのパッドに突き刺した状態で固設され、
そのシュラウド・ヘッドとそのカップ・ホルダーとの間にその表皮の端末を挟持してなる自動車シートに用いるアームレスト。
【請求項３】
そのフレームが、パイプ・フレームあるいはワイヤ・フレームである請求項1および２の何れかに記載の自動車シートに用いるアームレスト。
【発明の詳細な説明】
【技術分野】
【０００１】
この発明は、自動車シートに用いるアームレストに関し、特に、そのアー
ムレストにカップ・ホルダーを組み付ける構造の改良に関する。
【背景技術】
【０００２】
通常、この種のアームレストでは、表皮の上にカップ・ホルダーを組み付けるので、そのカップ・ホルダーを固定するための受けが必要になった。その受けのためのフレームが活用され、そのカップ・ホルダーがそのフレームにねじ止めされる構造が採られ、そのフレームが板金を折り曲げて成形される結果、重量が増加されてコストが掛かった。
【０００３】
また、高級車やオプション・パーツに見られるように、交換不可能な固定部品がほとんどで汚れや傷による装飾部品の交換ニーズがあっても対応できない場合が出ていた。
【先行技術文献】
【特許文献】
【０００４】
特開２００１−３００１６１公報
【発明の概要】
【発明が解決しようとする課題】
【０００５】
この発明の課題は、カップ・ホルダーの受けにフレームを必要とせずに部品構成を簡素にして軽量化およびコスト低減を図り、そして、装飾部品を交換可能にして汚れや傷付きの際の交換に加えてカラー・バリエーションによる変更や素材替えなど個々の取合せを可能にするところの自動車シートに用いるアームレストを提供するにある。
【課題を解決するための手段】
【０００６】
この発明の自動車シートに用いるアームレストは、この発明の自動車シートに用いるアームレストは、表皮は、所定の箇所に開口部を設け、袋状に縫い合わせて成り、フレームに被覆してなり、カップ・ホルダーは、軟質樹脂で成形され、それの開口寄りで内側面にリング溝を開口させてその表皮の開口部に嵌合してなり、縁装飾部品は、上端にリング状シュラウド・ヘッドを備え、下端の外側面にリング状爪を突き出す形状に硬質樹脂、金属で成形され、その表皮内でパッドの一体発泡後の状態でその表皮の上からそのカップ・ホルダーに押し込まれた状態から成り、そのカップ・ホルダーの内側面のリング溝にその下端の外側面のリング状爪を引っ掛けた状態で、そのシュラウド・ヘッドとそのカップ・ホルダーとの間にその表皮をはさみ込むとともに、カップ・ホルダーの内側面と縁装飾部品の外側面との間にその表皮端末をはさみ込んでそのカップ・ホルダーに固設する。
【０００７】
また、この発明自動車シートに用いるアームレストは、この発明の自動車シートに用いるアームレストは、表皮は、所定の箇所に開口部を設け、袋状に縫い合わせて成り、フレームに被覆してなり、カップ・ホルダーは、軟質樹脂で成形され、それの開口寄りで内側面にリング溝を開口させてその表皮の開口部に嵌合してなり、縁装飾部品は、上端にリング状シュラウド・ヘッドを備え、下端の外側面にリング状爪を突き出す形状に硬質樹脂、金属で成形され、その表皮内でパッドの一体発泡後の状態でその表皮の上からそのカップ・ホルダーに押し込まれた状態から成り、そのカップ・ホルダーの内側面のリング溝にその下端の外側面のリング状爪を引っ掛けた状態で、そのシュラウド・ヘッドとそのカップ・ホルダーとの間にその表皮をはさみ込むとともに、カップ・ホルダーの内側面と縁装飾部品の外側面との間にその表皮端末をはさみ込んでそのカップ・ホルダーに固設する。
【発明の効果】
【０００８】
この発明の自動車シートに用いるアームレストでは、カップ・ホルダーの受
けにフレームを必要とせずにそのカップ・ホルダー自身が、その受けに活用可能になって表皮の開口周り端末が、そのカップ・ホルダーにはめ込まれる別体のその縁装飾部品によってそのカップ・ホルダーに固定可能になり、部品構成が簡潔になって軽量化が図られ、そして、コスト低減が図られ、そしてさらに、その縁装飾部品が、交換可能になり、加えて、カラー・バリエーションによる変更や素材替えなどの個々の取合せが可能になる。
【図面の簡単な説明】
【０００９】
【図１】乗用車のリア・シートのセンター・アームレストに活用されるところのこの発明の自動車シートに用いるアームレストの具体例を示した斜視図である。
【図２】図１の２−２線の沿って示した部分断面図である。
【図３】表皮、縁装飾部品を示した斜視図である。
【図４】乗用車のリア・シートのセンター・アームレストに活用されるところのこの発明の自動車シートに用いるアームレストの具体例において、パッド、表皮、カップ・ホルダー、および縁装飾部品を示した分解斜視図である。
【図５】そのアームレストを部分的に縦断面して示した部分断面図である
【発明を実施するための形態】
【００１０】
この発明の自動車シートに用いるアームレストは、表皮が、所定の箇所に開
口部を切り抜く袋に縫い合わせられてフレームに被せられ、カップ・ホルダーが、軟質樹脂で成形され、それの開口寄りで内側面にリング溝を開口させてその表皮のその開口部にはめ込まれ、そして、縁装飾部品が、一端にリング状シュラウド・ヘッドを備え、他端の外側面にリング状爪を突き出す形状に硬質樹脂、金属などで成形され、そして、その表皮内でパッドの一体発泡後にその表皮の上からそのカップ・ホルダーに押し込まれ、そのカップ・ホルダーのそのリング溝にそのリング状爪を引っ掛け、そして、そのシュラウド・ヘッドとそのカップ・ホルダーとの間にその表皮をはさみ込んでそのカップ・ホルダーに
固定的に止められる。
【００１１】
また、この発明の自動車シートに用いるアームレストは、表皮が、所定の箇
所に開口部を切り抜く袋に縫い合わせられてフレームに被せられ、カップ・ホルダーが、軟質樹脂で成形され、それの開口端の周りに周囲フランジを突き出してその表皮のその開口部にはめ込まれ、そして、縁装飾部品が、リング状シュラウド・ヘッドの下面に複数の針状爪を円周方向に適宜の間隔を置いて突き出す形状に硬質樹脂、金属などで成形され、そして、その表皮内でパッドの一体発泡後にその表皮の上からその複数の針状爪をその表皮およびカップ・ホルダーの周囲フランジに突き通してそのパッドに突き刺して固定的に止められ、そして、そのシュラウド・ヘッドとそのカップ・ホルダーとの間にその表皮の
端末を挟み込む。
【実施例１】
【００１２】
以下、特定されて図示された具体例に基づいて、この発明の自動車シートに用いるアームレストを説明するに、図1ないし図３は、乗用車のリア・シートのセンター・アームレストに活用されるところのこの発明の自動車シートに用いられるアームレストの具体例１０を示し、そして、このセンター・アームレスト１０では、表皮１３が、所定の箇所に開口部２１を切り抜く袋に縫い合わせられてフレーム１１に被せられ、カップ・ホルダー１４が、軟質樹脂で成形され、それの開口寄りで内側面２５にリング溝２７を開口させてその表皮１３のその開口部２１にはめ込まれ、そして、縁装飾部品１５が、一端にリング状シュラウド・ヘッド２８を備え、他端の外側面３０にリング状爪２９を突き出す形状に硬質樹脂で成形され、そして、その表皮１３内でパッド１２の一体発
泡後にその表皮１３の上からそのカップ・ホルダー１４に押し込まれ、そのカップ・ホルダー１４のそのリング溝２７にそのリング状爪２９を引っ掛け、そして、そのシュラウド・ヘッド２８とそのカップ・ホルダー１４との間にその表皮１３をはさみ込んでそのカップ・ホルダー１４に固定的に止められる
【００１３】
その表皮１３は、そのセンター・アームレスト１０の裏面２０で先端側の位置に相当する箇所にその開口部２１を開口させ、袋に縫われて通常に仕上げられ、そして、そのフレーム１１に被せられる。このセンター・アームレスト１０の場合、そのカップ・ホルダー１４の受けにそのフレーム１１を必要としないので、そのフレーム１１は、ワイヤ・フレームを用いて板金を折り曲げて成形する構造を採らずに簡潔で軽量化された。勿論、このフレーム１１はパイプ・フレームであってもかまわない。
【００１４】
そのカップ・ホルダー１４は、それの開口２３の周りで外側面２４に周囲フランジ２６を突き出し、そして、その開口２３の側に寄せられて内側面２５にリング溝２７を開口する構造に軟質樹脂から成形される。このカップ・ホルダー１４は縫製可能な軟質樹脂、エラストマーのような軟質樹脂で成形されてもかまわない。
【００１５】
その縁装飾部品１５は、それの上端にリング状シュラウド・ヘッド２８を備え、そして、それの下端の外側面３０にリング状爪２９突き出すリング構造に設計されて硬質樹脂で成形される。
そして、この縁装飾部品１５は、そのパッド１２がそのワイヤ・フレーム１１に被せられたその表皮１３内に発泡性樹脂原液を注入して一体発泡された後にその表皮１３のその開口部２１のところでその表皮１３の上からそのカップ・ホルダー１４のその開口２３に押し込まれ、そして、そのカップ・ホルダー１４のそのリング溝２７にそのリング状爪２９を引っ掛けてそのカップ・ホルダー１４のその開口２３に取り外し可能に固定的に止められる。
そのように、この縁装飾部品１５は、そのリング状シュラウド・ヘッド２８でその表皮１３のその開口部２１周りの表皮端末２２を覆ってそのカップ・ホルダー１４のその開口２３に取り外し可能に固定的に組み付けられる。
【００１６】
この縁装飾部品１５は、取り外しできる交換可能なシュラウド型開口縁飾り部品でそのカップ・ホルダー１４のその開口２３の周りでその表皮１３のその開口部２１周りの表皮端末２２を処理する。勿論、この縁装飾部品１５は金属から成形されてもかまわない。
【００１７】
したがって、このセンター・アームレスト１０では、そのカップ・ホルダー１４の受けにそのフレーム１１を必要とせずにそのカップ・ホルダー１４自身が、その受けに活用可能になって表皮１３の開口周り端末２２が、そのカップ・ホルダー１４にはめ込まれる別体のその縁装飾部品１５によってそのカップ・ホルダーに１４固定可能になり、部品構成が簡潔になって軽量化が図られ、そして、コスト低減が図られる。そしてさらに、その縁装飾部品１５が、取り外し可能になって汚れや傷付きの際、その縁装飾部品１５が、交換可能になり、加えて、カラー・バリエーションによる変更や素材替えなどの個々の取合せ
が可能になる。
【実施例２】
【００１８】
図４および図５は、乗用車のリア・シートのセンター・アームレストに活用されるところのこの発明の自動車シートに用いるアームレストの具体例４０を示し、そして、このセンター・アームレストでは、表皮１３が、所定の箇所に開口部２１を切り抜く袋に縫い合わせられてフレーム１１に被せられ、カップ・ホルダー４１が、軟質樹脂で成形され、それの開口端４７の周りに周囲フランジ４８を突き出してその表皮１３のその開口部２１にはめ込まれ、そして、縁装飾部品４２が、リング状シュラウド・ヘッド４９の下面５０に複数の針状爪５１、５１、５１を円周方向に適宜の間隔を置いて突き出す形状に硬質樹脂、金属などで成形され、そして、その表皮１３内でパッド１２の一体発泡後に
その表皮１３の上からその複数の針状爪５１、５１、５１をその表皮１３およびカップ・ホルダー４１の周囲フランジ４８に突き通してそのパッド１２に突き刺して固定的に止められ、そして、そのシュラウド・ヘッド４９とそのカップ・ホルダー４１との間にその表皮１３の端末２２を挟み込む。
【００１９】
その表皮１３は、そのセンター・アームレスト４０の裏面４５で先端側の位置に相当する箇所にその開口部２１を開口させ、袋に縫われて通常仕上げられ、そして、そのフレーム１１に被せられる。このセンター・アームレスト４０の場合、そのカップ・ホルダー４１の受けにそのフレーム１１を必要としないので、そのフレーム１１はワイヤ・フレームを用い、そして、簡潔で軽量化された。勿論、このフレーム１１はパイプ・フレームであってもかまわない。
【００２０】
そのカップ・ホルダー４１は、軟質樹脂でフランジ付きカップに成形される。具体的には、このカップ・ホルダー４１は、それの開口端４７の周りに周囲フランジ４８を突き出し、そして、その表皮１３のその開口部２１にはめ込まれてそのパッド１２に一体発泡された状態でその周囲フランジ４８にその縁装飾部品４２を固定的に組み付け可能にする。
このカップ・ホルダー４１は、縫製可能な軟質樹脂。エラストマーのような軟質樹脂で成形されてもかまわない。
【００２１】
その縁装飾部品４１は、そのリング状シュラウド・ヘッド４９のその下面５０に３本の針状爪５１、５１、５１を円周方向に適宜の間隔を置いて突き出すリング形状に硬質樹脂で成形される。
そして、この縁装飾部品４１は、そのパッド１２がそのワイヤ・フレーム１１に被せられたその表皮１３内に発泡性樹脂原液を注入して一体発泡された後にその表皮１３の上からその表皮１３のその開口部２１およびそのカップ・ホルダー４１のその開口４６に押し込まれ、その表皮１３の上からその３本の針状爪５１、５１、５１をその表皮１３およびそのカップ・ホルダー４１のその周囲フランジ４８に突き通してそのパッド１２に付き刺して固定的に止められ、そして、そのシュラウド・ヘッド４９とそのカップ・ホルダー４１との間にその表皮１３のその開口部２１周りの表皮端末２２を挟み込む。
この縁装飾部品４２は、硬質樹脂で成形されたが、金属で成形されてもかまわない。
【００２２】
この縁装飾部品４２は、使用によって汚れたり傷付いた場合、ペンチでつかんでぐいと回すとその針状爪５１、５１、５１が破断されて簡単に交換可能になる。
また、縁装飾部品４２は金属で成形される場合、ペンチでつかんでぐいと引っ張れば、その針状爪５１、５１、５１が引き抜かれて簡単に交換可能になる。
【００２３】
したがって、このセンター・アームレスト１０では、そのカップ・ホルダー４１の受けにそのフレーム１１を必要とせずにそのカップ・ホルダー４１自身が、その受けに活用可能になって表皮１３の開口周り端末２２が、そのカップ・ホルダー４１にはめ込まれる別体のその縁装飾部品４２によってそのカップ・ホルダーに４１固定可能になり、部品構成が簡潔になって軽量化が図られ、そして、コスト低減が図られ、そしてさらに、その縁装飾部品４２が、取り外し可能になって汚れや傷付きの際、その縁装飾部品４２が、交換可能になり、加えて、カラー・バリエーションによる変更や素材替えなどの個々の取合せが
可能になる。
【００２４】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００２５】
上述から理解されるように、この発明の自動車シートに用いるアームレスト
は、表皮が、所定の箇所に開口部を切り抜く袋に縫い合わせられてフレームに被せられ、カップ・ホルダーが、軟質樹脂で成形され、それの開口寄りで内側面にリング溝を開口させてその表皮のその開口部にはめ込まれ、そして、縁装飾部品が、一端にリング状シュラウド・ヘッドを備え、他端の外側面にリング状爪を突き出す形状に硬質樹脂、金属などで成形され、そして、その表皮内でパッドの一体発泡後にその表皮の上からそのカップ・ホルダーに押し込まれ、そのカップ・ホルダーのそのリング溝にそのリング状爪を引っ掛け
、そして、そのシュラウド・ヘッドとそのカップ・ホルダーとの間にその表皮をはさみ込んでそのカップ・ホルダーに固定的に止められるので、この発明の自動車シートに用いるアームレストでは、そのカップ・ホルダーの受けにそのフレームを必要とせずにそのカップ・ホルダー自身が、その受けに活用可能になってその表皮の開口周り端末が、そのカップ・ホルダーにはめ込まれる別体のその縁装飾部品によってそのカップ・ホルダーに固定可能になり、部品構成が簡潔になって軽量化が図られ、そして、コスト低減が図られ、そしてさらに、その縁装飾部品が、交換可能になり、加えて、カラー・バリエーションによる変更や素材替えなどの個々の取合せが可能になり、その結果、自動車シート
にとって非常に有用で実用的である。
【符号の説明】
【００２６】
１０  アームレスト／センター・アームレスト
１１  フレーム／ワイヤ・フレーム
１２  パッド
１３  表皮
１４  カップ・ホルダー
１５  縁装飾部品
２０  裏面
２１  開口部
２２  表皮端末
２３  開口
２４  外側面
２５  内側面
２６  周囲フランジ
２７  リング溝
２８  リング状シュラウド・ヘッド
２９  リング状爪
３０  外側面
４０  一体発泡型アームレスト／センター・アームレスト
４１  カップ・ホルダー
４２  縁装飾部品
４５  裏面
４６  開口
４７  開口端
４８  周囲フランジ
４９  リング状シュラウド・ヘッド
５０  下面
５１  針状爪
【図１】
0005989409.tif 000002
【図２】
0005989409.tif 000003
【図３】
0005989409.tif 000004
【図４】
0005989409.tif 000005
【図５】
0005989409.tif 000006